(57)【特許請求の範囲】
【請求項１】
煙感知器内部に残留している煙を除去する煙除去装置であって、
前記煙感知器の内部を通過する気流を形成するために当該煙感知器に着脱自在に設置される気流形成手段を備え、
前記気流形成手段は、前記煙感知器から煙を吸出する吸出手段であり、
前記吸出手段は、
前記煙感知器において当該煙感知器の内部と外部との間で相互に煙を通過可能とするために設けられている煙流入口の一部が開放されている状態を維持しながら、前記煙流入口の他の一部を遮蔽する遮蔽手段と、
前記遮蔽手段にて遮蔽されている前記煙流入口の一部を介して前記煙感知器から煙を吸出する煙吸出口とを備えること、
を特徴とする煙除去装置。
【請求項２】
煙感知器内部に残留している煙を除去する煙除去装置であって、
前記煙感知器の内部を通過する気流を形成するために当該煙感知器に着脱自在に設置される気流形成手段を備え、
前記気流形成手段は、前記煙感知器から煙を吸出する吸出手段であり、
さらに、前記煙感知器に当接可能に前記吸出手段に固定されている当接部と、前記当接部を前記煙感知器に吸着させるために当該当接部と当該煙感知器とによって囲繞される空間内の気体を吸引する吸引手段と、を有する吸着手段を備えること、
を特徴とする煙除去装置。
【請求項３】
前記吸着手段を介して前記吸出手段が前記煙感知器に固定されている固定状態を検出する検出手段と、
前記検出手段によって前記固定状態が検出されているか否かを判定し、前記固定状態が検出されていることを条件として、前記吸出手段を動作させる制御手段と、
を備えることを特徴とする請求項２に記載の煙除去装置。
【請求項４】
前記煙感知器を外囲する外囲手段と、前記煙感知器が感知可能な気体を前記外囲手段にて外囲された空間内に流入させる流入手段と、を備える煙感知器用試験器において、
請求項１から３のいずれか一項に記載の煙除去装置を、前記外囲手段と相互に一体として設けたこと、
を特徴とする煙感知器用試験器。
【発明の詳細な説明】
【技術分野】
【０００１】
本発明は、煙感知器内部に残留している煙を除去する煙除去装置及び煙感知器用試験器に関する。
【背景技術】
【０００２】
火災の発生を感知するための火災感知器として、空気中の煙の濃度変化から火災を感知する煙感知器が用いられている。例えば、煙による光の散乱を利用する散乱光式煙感知器は、外部から煙が流入する検煙空間、検煙空間に対する外部からの光の入射を遮断する遮光構造、検煙空間に対して内部から検出光を発光する発光部、及び、検煙空間に流入した煙によって散乱された検出光を受光して電気信号に変換出力する受光部を備えている。
【０００３】
従来、このような煙感知器の感度調整や品質管理のため、煙濃度に対する出力レベル傾向の確認、あるいは、電子回路の正常動作の確認等のための試験が行われる。これらの内、煙濃度に対する出力レベル傾向の確認については、（１）煙感知器のゼロレベルの設定を行った上で、（２）所定の煙濃度に維持されている試験槽の内部に煙感知器を設置し、（３）当該煙感知器の出力レベルを計測する、という手順を、繰り返し実行することにより行われていた（例えば、特許文献１参照）。
【０００４】
【特許文献１】特開平１１−３３９１５４号公報
【発明の開示】
【発明が解決しようとする課題】
【０００５】
上記の出力レベル傾向の確認手順を繰り返す場合、（１）の手順において正確にゼロレベルの設定を行うためには、煙感知器の内部に残留している煙を完全に除去した上で当該ゼロレベルの設定を行う必要があった。しかし、従来は、作業者が団扇を用いて煙感知器に向かって送風することにより煙の除去を行っていたため、煙の除去が不十分となる可能性があるほか、煙除去作業に手間がかかっていた。
【０００６】
本発明は、上記に鑑みてなされたものであって、煙感知器の内部に残留している煙を迅速かつ確実に除去することができる煙除去装置を提供することを目的とする。
【課題を解決するための手段】
【０００７】
上述した課題を解決し、目的を達成するために、請求項１に記載の煙除去装置は、煙感知器内部に残留している煙を除去する煙除去装置であって、前記煙感知器の内部を通過する気流を形成するために当該煙感知器に着脱自在に設置される気流形成手段を備え、前記気流形成手段は、前記煙感知器から煙を吸出する吸出手段であり、前記吸出手段は、前記煙感知器において当該煙感知器の内部と外部との間で相互に煙を通過可能とするために設けられている煙流入口の一部が開放されている状態を維持しながら、前記煙流入口の他の一部を遮蔽する遮蔽手段と、前記遮蔽手段にて遮蔽されている前記煙流入口の一部を介して前記煙感知器から煙を吸出する煙吸出口とを備えることを特徴とする。
【００１０】
また、請求項２に記載の煙除去装置は、煙感知器内部に残留している煙を除去する煙除去装置であって、前記煙感知器の内部を通過する気流を形成するために当該煙感知器に着脱自在に設置される気流形成手段を備え、前記気流形成手段は、前記煙感知器から煙を吸出する吸出手段であり、さらに、前記煙感知器に当接可能に前記吸出手段に固定されている当接部と、前記当接部を前記煙感知器に吸着させるために当該当接部と当該煙感知器とによって囲繞される空間内の気体を吸引する吸引手段と、を有する吸着手段を備えることを特徴とする。
【００１１】
また、請求項３に記載の煙除去装置は、請求項２に記載の煙除去装置において、前記吸着手段を介して前記吸出手段が前記煙感知器に固定されている固定状態を検出する検出手段と、前記検出手段によって前記固定状態が検出されているか否かを判定し、前記固定状態が検出されていることを条件として、前記吸出手段を動作させる制御手段とを備えることを特徴とする。
【００１２】
また、請求項４に記載の煙感知器用試験器は、前記煙感知器を外囲する外囲手段と、前記煙感知器が感知可能な気体を前記外囲手段にて外囲された空間内に流入させる流入手段と、を備える煙感知器用試験器において、請求項１から３のいずれか一項に記載の煙除去装置を、前記外囲手段と相互に一体として設けたことを特徴とする。
【発明の効果】
【００１３】
請求項１に記載の本発明によれば、気流形成手段によって煙感知器の内部を通過する気流を形成させることにより、煙感知器の外部から清浄な空気を煙感知器の内部に流入させると共に、煙感知器の内部に残留していた煙を、当該煙感知器の外部へと排出させることができる。
また、吸出手段は、煙感知器の内部から煙を吸出するので、煙感知器の内部に埃や粉塵等の異物が流入することを回避できる。
また、遮蔽手段によって煙感知器の煙流入口の一部を遮蔽しているとともに、煙吸出口によって煙感知器から煙を吸出するので、遮蔽手段によって遮蔽されていない煙流入口から、煙感知器の内部を経て、煙吸出口と対向している煙流入口へと向かう気流を形成することができる。これにより、煙感知器の外部から清浄な空気を煙感知器の内部へと導入できると共に、煙感知器の内部において気流の経路上に残留している煙を、当該気流によって煙感知器の内部から煙吸出口へと排出させることができる。
【００１６】
また、請求項２に記載の本発明によれば、気流形成手段によって煙感知器の内部を通過する気流を形成させることにより、煙感知器の外部から清浄な空気を煙感知器の内部に流入させると共に、煙感知器の内部に残留していた煙を、当該煙感知器の外部へと排出させることができる。
また、吸出手段は、煙感知器の内部から煙を吸出するので、煙感知器の内部に埃や粉塵等の異物が流入することを回避できる。
また、当接部を煙感知器に吸着させることにより、吸出手段を煙感知器に固定させているので、当該吸出手段を煙感知器に固定するための特別な構造を別途設ける必要が無く、容易に吸出手段を煙感知器に取り付けることができる。
【００１７】
また、請求項３に記載の本発明によれば、吸着手段を介して吸出手段が煙感知器に固定されていることが検出手段によって検出された場合において、制御手段は吸出手段を動作させている。これにより、吸出手段が煙感知器に適切に固定されている場合にのみ当該吸出手段を動作させることができ、煙感知器から確実に煙を吸出させることができる。
【００１８】
また、請求項４に記載の本発明によれば、煙感知器用試験器を用いて煙感知器の試験を行った場合において、煙感知器の内部に流入させた気体を迅速且つ容易に除去できる。これにより、確認のために試験を繰り返し行う場合に要する時間を短縮することができる。さらに、試験後において、即座に煙感知器の運用を再開することができる。また、試験中に煙除去装置を動作させることにより、煙感知器が感知可能な気体を積極的に煙感知器の内部に流入させることができるので、試験を確実に実施することができる。
【発明を実施するための最良の形態】
【００１９】
以下に添付図面を参照して、この発明に係る煙除去装置の各実施の形態を詳細に説明する。まず、〔Ｉ〕各実施の形態に共通の基本的概念を説明した後、〔II〕各実施の形態の具体的内容について順次説明し、最後に、〔III〕各実施の形態に対する変形例について説明する。ただし、各実施の形態によって本発明が限定されるものではない。
【００２０】
〔Ｉ〕各実施の形態に共通の基本的概念
まず、各実施の形態に共通の基本的概念について説明する。各実施の形態に係る煙除去装置は、煙感知器の内部に残留している煙の除去を目的とするものである。
【００２１】
各実施の形態に係る煙除去装置の適用対象は任意であり、内部に導入された煙を検出する方式の煙感知器に適用することができる。この様な煙感知器として、上述した散乱光式煙感知器や、イオン化式煙感知器等について適用することが可能である。さらに、各実施の形態に係る煙除去装置を、上述した出力レベル傾向確認のための試験等に用いることができ、あるいは、監視領域に設置された煙感知器の性能確認のための定期試験等において用いることもできる。
【００２２】
各実施の形態に係る煙除去装置の特徴の一つは、気流形成手段を備えている点にある。この気流形成手段によって煙感知器の内部を通過する気流を形成させることにより、煙感知器の外部から清浄な空気を煙感知器の内部に流入させると共に、煙感知器の内部に残留していた煙を、当該煙感知器の外部へと排出させることができる。
【００２３】
〔II〕各実施の形態の具体的内容
次に、本発明に係る各実施の形態の具体的内容について説明する。
【００２４】
〔実施の形態１〕
まず実施の形態１について説明する。この形態は、気流形成手段を備えた基本的な形態である。本実施の形態１においては、出力レベル傾向確認のための試験等において煙除去装置を用いる場合を例に挙げて説明する。
【００２５】
（試験装置の構成）
まず、試験装置の構成を説明する。図１は試験装置全体の外観を示す斜視図である。
【００２６】
図１に示すように、試験装置１は、試験槽１０、設置板１１、及び、煙供給装置１２を備えている。試験槽１０は、煙感知器３の試験のために必要な煙濃度を維持するために、煙供給装置１２によって供給された煙を当該試験槽１０の内部にて対流させるものである。試験槽１０の具体的な形状は任意であり、例えば、図１に示したような略直方体形状の中空容器とすることができる。試験槽１０の上面には、開口部１０ａが設けられている。開口部１０ａは、設置板１１によって全体が覆われる寸法となるように形成されている。
【００２７】
設置板１１は、試験対象の煙感知器３を設置するためのものであり、取付ベース１１ａを備えている。取付ベース１１ａは、煙感知器３が接続される台座となるものであり、煙感知器３が備えている出力端子と電気的に接続可能となっている。この取付ベース１１ａを介して、図示しない計測装置に煙感知器３からの出力信号が出力される。
【００２８】
また、本実施の形態１においては、二つの設置板１１が、試験槽１０の開口部１０ａを挟んで相互に対向して開閉自在に設置されている。取付ベース１１ａに煙感知器３が接続された状態で一方の設置板１１を閉じると、当該設置板１１に設置されている煙感知器３が試験槽１０の内部に露出された状態になると共に、試験槽１０の開口部１０ａが当該設置板１１にて閉鎖された状態となる。開いた状態にある他方の設置板１１においては、当該設置板１１に設置されている煙感知器３に煙除去装置２が取り付けられ、当該煙感知器３の煙除去を行うことができる。また、煙感知器３の交換作業等を行うこともできる。
【００２９】
煙供給装置１２は、試験槽１０の内部に煙を供給するためのものである。煙供給装置１２の具体的構成は任意であり、公知の煙供給装置を用いることができる。
【００３０】
（煙除去装置の構成）
次に、本実施の形態１に係る煙除去装置２の構成について説明する。図２は本実施の形態１に係る煙除去装置２の外観を示す斜視図、図３は図２に示した煙除去装置２の側面図である。図２に示すように、煙除去装置２は、吸出部２０、吸着部２１、及び、図示しない制御部を備えている。
【００３１】
（煙除去装置の構成−吸出部２０）
吸出部２０は、煙感知器３の内部から煙を吸出するためのものであり、特許請求の範囲における気流形成手段、及び、吸出手段に対応している。図１から図３に示すように、吸出部２０は、カップリング２００、配管２０１、吸出ポンプ２０２、及び、図示しない電磁弁を備えている。
【００３２】
カップリング２００は、煙感知器３の検煙部３１に設けられている煙流入口３２の一部を遮蔽するためのものであり、特許請求の範囲における遮蔽手段に対応している。ここで、煙感知器３の検煙部３１は、図２に示すように、煙感知器３の筐体３０において所定の高さをもって突出した略円筒体として形成されており、当該略円筒体の周面に、煙流入口３２が設けられている。煙流入口３２は、煙感知器３の内部と外部との間で相互に煙を通過可能とするために設けられている。
【００３３】
図２に示すように、カップリング２００は、端面２０３、及び、側面２０４を備えている。端面２０３は、煙感知器３の検煙部３１として形成されている略円筒体の直径よりも大きい直径を有する略半円板である。側面２０４は、端面２０３の円周から当該端面２０３に略直交するように延設されている。また、端面２０３から延設されている側面２０４の高さが、煙感知器３の検煙部３１が当該煙感知器３の筐体３０において突出している高さよりも高くなるように、当該側面２０４が形成されている。これらの端面２０３と側面２０４とによって、カップリング２００は、略半円筒体として形成されている。当該略半円筒体において、端面２０３または側面２０４以外の部分は開口となっており、当該開口を介して、煙感知器３の検煙部３１がカップリング２００の略半円筒体の内部に収容される。
【００３４】
さらに、側面２０４は、煙吸出口２０４ａ、及び、嵌合部２０４ｂを備えている。煙吸出口２０４ａは、煙感知器３の煙流入口３２を介して煙感知器３から煙を吸出するものであり、カップリング２００を煙感知器３に取り付けた場合に煙流入口３２と相互に対向するように配置されている。また、煙吸出口２０４ａは配管２０１と相互に接続されており、当該配管２０１を介して後述する吸出ポンプ２０２に煙を排出可能となっている。嵌合部２０４ｂは、カップリング２００を煙感知器３に取り付ける場合において、煙流入口３２に嵌合され、当該煙流入口３２を遮蔽するものであり、側面２０４の端部に配置されている。なお、嵌合部２０４ｂの具体的な形状は任意であり、煙感知器３の煙流入口３２に対応した形状とすることができる。
【００３５】
配管２０１は、煙吸出口２０４ａと吸出ポンプ２０２との間を接続し、煙吸出口２０４ａによって煙感知器３から吸出された煙を吸出ポンプ２０２まで導入させるためのものである。配管２０１の具体的な構成は任意であり、例えば、公知の樹脂製チューブを用いることができる。
【００３６】
吸出ポンプ２０２は、配管２０１及び煙吸出口２０４ａを介して煙感知器３から煙を吸出するためのものであり、配管２０１に接続されている。吸出ポンプ２０２の具体的な構成は任意であり、例えば、ロータリーポンプを用いることができる。
【００３７】
電磁弁は、煙吸出口２０４ａから配管２０１を介して吸出ポンプ２０２に至る煙の流路における任意の位置に配置されている。電磁弁は制御部によって制御され、配管２０１を通過する煙の流路の開閉を行う。
【００３８】
（煙除去装置の構成−吸着部２１）
吸着部２１は、カップリング２００を煙感知器３に固定するためのものであり、特許請求の範囲における吸着手段に対応している。吸着部２１は、吸着パッド２１０、真空配管２１１、真空ポンプ２１２、及び、図示しないセンサを備えている。
【００３９】
吸着パッド２１０は、煙感知器３の表面に当接し、当該表面に吸着するものであり、特許請求の範囲における当接部に対応している。吸着パッド２１０は、例えばシリコーンゴムの如き柔軟材料を用いて、底面が開放された略円錐形状に形成されている。また、吸着パッド２１０はカップリング２００に固定されている。カップリング２００における吸着パッド２１０の固定位置は任意であるが、少なくとも、カップリング２００の嵌合部２０４ｂを煙感知器３の煙流入口３２に嵌合させた状態において、当該吸着パッド２１０が煙感知器３の表面に当接可能な位置にて固定されている。また、吸着パッド２１０は、真空配管２１１を介して真空ポンプ２１２と接続されている。
【００４０】
真空配管２１１は、吸着パッド２１０と真空ポンプ２１２との間を接続し、吸着パッド２１０と煙感知器３の表面とによって囲繞される空間内の気体を真空ポンプ２１２まで導入させるためのものである。真空配管２１１の具体的な構成は任意であり、真空用途に対応したフレキシブルチューブ等を用いることができる。
【００４１】
真空ポンプ２１２は、真空配管２１１を介して、吸着パッド２１０と煙感知器３の表面とによって囲繞される空間内の気体を吸引するためのものであり、特許請求の範囲における吸引手段に対応している。真空ポンプ２１２の具体的な構成は任意であり、例えば、ロータリーポンプを用いることができる。
【００４２】
センサは、吸着部２１の作動状態を検出するものであり、特許請求の範囲における検出手段に対応している。センサから出力される検出信号は、制御部に入力される。センサの具体的な構成は任意であり、例えば、圧力センサを用いて、吸着パッド２１０と煙感知器３の表面とによって囲繞される空間内の圧力を、真空配管２１１を介して計測するように構成することができる。
【００４３】
（煙除去装置の構成−制御部）
制御部は、センサから入力された検出信号に基づいて吸出部２０の電磁弁を制御するためのものであり、特許請求の範囲における制御手段に対応している。制御部は、センサから入力された検出信号に基づき、吸着パッド２１０が煙感知器３の表面に吸着しているか否かを判断する。この制御部による処理の具体的な内容については後述する。
【００４４】
なお、制御部の具体的構成は任意であるが、例えば、ＯＳ（Ｏｐｅｒａｔｉｎｇ Ｓｙｓｔｅｍ）などの制御プログラム、各種の処理手順などを規定した組み込みプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００４５】
（煙除去装置による煙の除去）
次に、煙除去装置２によって煙感知器３から煙の除去を行う場合における煙除去装置２の動作について説明する。
【００４６】
まず、カップリング２００を煙感知器３の筐体３０上に配置する。この際、カップリング２００の嵌合部２０４ｂが煙感知器３の煙流入口３２に嵌合するように配置することにより、煙流入口３２が嵌合部２０４ｂによって遮蔽されると共に、吸着パッド２１０の底面の周縁部が煙感知器３の表面に当接される。
【００４７】
上述のように吸着パッド２１０を煙感知器３の表面に当接させた状態において真空ポンプ２１２を動作させると、吸着パッド２１０と煙感知器３の表面とによって囲繞される空間内の気体が吸引される。この時の当該空間内の圧力と大気圧との圧力差によって、吸着パッド２１０が煙感知器３の表面に吸着され、当該吸着パッド２１０を介してカップリング２００が煙感知器３に固定される。
【００４８】
この時、真空ポンプ２１２の動作に伴い真空配管２１１の内部圧力も低下している。センサによって計測された当該真空配管２１１の内部圧力が一定の水準値を下回っている場合、制御部は、吸着パッド２１０が煙感知器３の表面に吸着され、カップリング２００が煙感知器３に固定されているものと判断し、吸出ポンプ２０２を動作させると共に、吸出部２０の電磁弁を開放状態とする。
【００４９】
吸出ポンプ２０２が動作すると、当該吸出ポンプ２０２と配管２０１を介して接続されている煙吸出口２０４ａの周辺に存在する煙や空気が当該煙吸出口２０４ａへと吸引される。煙感知器３の煙流入口３２の一部は、カップリング２００の側面２０４によって遮蔽されているため、当該遮蔽されている煙流入口３２を介した煙や空気の移動は発生しない。一方、側面２０４によって遮蔽されていない煙流入口３２においては、当該煙流入口３２から、煙感知器３の内部を経て、煙吸出口２０４ａと対向している煙流入口３２へと向かう気流が形成される。従って、煙感知器３の外部から清浄な空気が煙感知器３の内部へと導入される共に、煙感知器３の内部において気流の経路上に残留している煙が、当該気流とともに煙感知器３の内部から煙吸出口２０４ａへと排出される。これにより、吸出部２０によって煙感知器３から煙を吸出させることができる。
【００５０】
（実施の形態１の効果）
このように実施の形態１によれば、吸出部２０によって煙感知器３の内部を通過する気流を形成させることにより、煙感知器３の外部から清浄な空気を煙感知器３の内部に流入させると共に、煙感知器３の内部に残留していた煙を、当該煙感知器３の外部へと排出させることができる。また、吸出部２０は、煙感知器３の内部から煙を吸出するので、煙感知器３の内部に埃や粉塵等の異物が流入することを回避することができる。
【００５１】
また、カップリング２００の側面２０４によって煙感知器３の煙流入口３２の一部を遮蔽しているとともに、当該側面２０４の一部に設けられている煙吸出口２０４ａによって煙感知器３から煙を吸出するので、側面２０４によって遮蔽されていない煙流入口３２から、煙感知器３の内部を経て、煙吸出口２０４ａと対向している煙流入口３２へと向かう気流を形成することができる。これにより、煙感知器３の外部から清浄な空気を煙感知器３の内部へと導入できると共に、煙感知器３の内部において気流の経路上に残留している煙を、当該気流によって煙感知器３の内部から煙吸出口２０４ａへと排出させることができる。
【００５２】
また、吸着パッド２１０を煙感知器３に吸着させることにより、カップリング２００を煙感知器３に固定させているので、当該カップリング２００を煙感知器３に固定するための特別な構造を別途設ける必要が無く、容易にカップリング２００を煙感知器３に取り付けることができる。
【００５３】
また、吸着パッド２１０が煙感知器３に吸着していることがセンサによって検出された場合において、制御部は吸出部２０を動作させている。これにより、カップリング２００が煙感知器３に適切に固定されている場合にのみ吸出部２０を動作させることができ、煙感知器３から確実に煙を吸出させることができる。
【００５４】
〔実施の形態２〕
次に、実施の形態２について説明する。この形態は、煙除去装置２を煙感知器用試験器に設けた形態である。煙感知器用試験器とは、監視領域に設置された煙感知器の性能確認のための定期試験を行う際に用いられる試験器であり、主として煙感知器に煙が流入した場合において当該煙感知器が正常に動作することを確認するために用いられるものである。
【００５５】
なお、実施の形態２の構成は、特記する場合を除いて実施の形態１の構成と略同一であり、実施の形態１の構成と略同一の構成についてはこの実施の形態１で用いたものと同一の符号及び／又は名称を必要に応じて付して、その説明を省略する。
【００５６】
（煙感知器用試験器の構成）
まず、煙感知器用試験器の構成について説明する。図４は、煙感知器用試験器の平面図である。図４に示すように、煙感知器用試験器４は、カバー４１、支持パイプ４２、操作部本体４３、及び、ガスボンベ４４を備えているとともに、煙除去装置２（図４に図示せず）と相互に一体に構成されている。
【００５７】
（煙感知器用試験器の構成−カバー４１）
カバー４１は、煙感知器用試験器４を用いて煙感知器３の試験を行う場合において、煙感知器３を外囲するためのものであり、特許請求の範囲における外囲手段に対応している。カバー４１は、一方の端面が開放された略円筒体として形成され、開放されていない他方の端面が、支持パイプ４２に取り付けられている。
【００５８】
（煙感知器用試験器の構成−煙除去装置２）
本実施の形態２においては、煙除去装置２は煙感知器用試験器４と相互に一体に設けられている。図５は、図４における領域Ａの拡大側断面図である。図５に示すように、カップリング２００、及び、吸着パッド２１０が、カバー４１の内部に配置されている。また、カップリング２００に煙吸出口２０４ａに接続されている配管２０１、及び、吸着パッド２１０に接続されている真空配管２１１は、カバー４１から支持パイプ４２の内部へと導入され、それぞれ吸出ポンプ２０２（図５に図示せず）、及び、真空ポンプ２１２（図５に図示せず）に接続されている。なお、吸出ポンプ２０２と真空ポンプ２１２とを相互に一体とし、吸出部２０と吸着部２１とで一台のポンプ（図示せず）を共用するように構成してもよい。この場合、電磁弁を用いることにより、必要に応じて、吸出部２０または吸着部２１とポンプとの接続を切替えることができる。
【００５９】
また、ポンプや制御部の配置位置は任意であり、例えば、操作部本体４３に隣接して設けることができる。また、ポンプや制御部を駆動させるためのバッテリ（図示せず）を、当該ポンプや制御部に併設してもよい。
【００６０】
（煙感知器用試験器の構成−支持パイプ４２）
支持パイプ４２は、カバー４１を支持するとともに、操作部本体４３とカバー４１との間を接続し、操作部本体４３に取り付けられているガスボンベ４４からカバー４１にガスを流入させるためのものである。支持パイプ４２の一端にはカバー４１が取り付けられ、他端には操作部本体４３が取り付けられている。なお、支持パイプ４２の具体的な構造は任意であり、例えば、伸縮自在のスライド式のパイプとすることができる。
【００６１】
（煙感知器用試験器の構成−操作部本体４３）
操作部本体４３は、ガスボンベ４４によるガスの噴射や、煙除去装置２の動作を操作するためのものであり、支持パイプ４２の一端に取り付けられている。操作部本体４３は、スイッチ４３ａ、ガス流路４３ｂ、及び、ボンベ取付部４３ｃを備えている。スイッチ４３ａは、ガスボンベ４４によるガスの噴射や、煙除去装置２の動作を操作するためのものである。ガス流路４３ｂは、ガスボンベ４４と支持パイプ４２との間を接続し、ガスを通過可能とするための流路であり、操作部本体４３の内部において、支持パイプ４２とボンベ取付部４３ｃとを連結するように設けられている。ボンベ取付部４３ｃは、ガスボンベ４４を操作部本体４３に固定するとともに、ガスボンベ４４とガス流路４３ｂとを接続するためのものである。
【００６２】
（煙感知器用試験器の構成−ガスボンベ４４）
ガスボンベ４４は、煙感知器３が感知可能なガスが封入されているボンベであって、当該封入されているガスを支持パイプ４２を介してカバー４１に流入させるためのものであり、特許請求の範囲における流入手段に対応している。ガスボンベ４４は、操作部本体４３のボンベ取付部４３ｃに取り付けられ、ガス流路４３ｂと接続される。
【００６３】
（煙感知器用試験器の動作）
次に、煙感知器用試験器４の動作について説明する。煙感知器用試験器４を用いて煙感知器３の試験を行う場合には、試験対象の煙感知器３がカバー４１によって外囲されるように、煙感知器用試験器４を設置する。この時、煙除去装置２のカップリング２００が煙感知器３に固定される。吸着部２１の動作については実施の形態１と同様であるので説明を省略する。この状態において、操作部のスイッチ４３ａを操作することにより、ガスボンベ４４からカバー４１の内部へとガスが噴射される。
【００６４】
ガスボンベ４４から支持パイプ４２を介してカバー４１の内部に噴射されたガスは、当該カバー４１の内部に充満し、煙感知器３の内部へと流入する。煙感知器３が正常な状態であれば、当該煙感知器３が動作する。
【００６５】
更に、スイッチ４３ａを操作し、ガスボンベ４４からのガスの噴射を停止させた後、煙除去装置２を動作させる。これにより、煙感知器３の内部に流入していたガスが、当該煙感知器３の内部から吸出される。
【００６６】
なお、ガスボンベ４４からカバー４１の内部にガスを噴射させるのと同時に、煙除去装置２を動作させてもよい。この場合、カバー４１の内部に噴射されたガスを、煙感知器３の内部に積極的に流入させることができる。
【００６７】
（実施の形態２の効果）
このように実施の形態２によれば、煙感知器用試験器４を用いて煙感知器３の試験を行った場合において、煙感知器３の内部に流入したガスを迅速且つ容易に除去できる。これにより、確認のために試験を繰り返し行う場合に要する時間を短縮することができる。さらに、試験後において、即座に煙感知器３の運用を再開することができる。また、試験中に煙除去装置２を動作させることにより、ガスを積極的に煙感知器３の内部に流入させることができるので、試験を確実に実施することができる。
【００６８】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７０】
（吸出部２０について）
上述の各実施の形態では、吸出部２０によって煙感知器３の内部から煙を吸出させると説明しているが、清浄な空気を煙吸出口２０４ａから吹出させるように構成してもよい。これにより、煙吸出口２０４ａから煙流入口３２を介して煙感知器３の内部に清浄な空気を流入させると共に、煙感知器３の内部に残留していた煙を、当該煙感知器３の外部へと押し出させることができる。ただし、吹出しより吸出を行う方が、煙感知器３の内部に塵や埃を導入する可能性が低い点でより好ましい。
【００７１】
（カップリング２００について）
上述の各実施の形態では、カップリング２００によって煙感知器３の煙流入口３２の一部が遮蔽されていると説明したが、カップリング２００によって煙流入口３２の全てが遮蔽されるように構成してもよい。この場合、清浄な空気をカップリング２００の外部から流入させるための開口を当該カップリング２００の側面２０４に別途設けることにより、煙感知器３の内部を通過する気流を形成させることができる。
【００７２】
（吸着部２１について）
上述の実施の形態１では、開いた状態の設置板１１に設置されている煙感知器３に対して煙除去装置２が取り付けられているが、閉じた状態の設置板１１に設置されている煙感知器３に対して煙除去装置２を取り付け、試験の前後にわたって連続的に煙感知器３の内部から煙の吸出を行わせてもよい。これにより、試験中は試験槽１０の内部の煙を煙感知器３の内部に積極的に流入させることができると共に、試験前や試験後においては、煙感知器３の内部から煙を除去させることができる。
【００７３】
（煙感知器用試験器４について）
上述の実施の形態２では、カバー４１の内部にカップリング２００が配置されていると説明しているが、カバー４１とカップリング２００とを相互に一体に構成してもよい。すなわち、略円筒体として形成されているカバー４１の周面の一部とカップリング２００の側面２０４とを、相互に一体に形成し、当該カバー４１の周面の一部に嵌合部２０４ｂを設けてもよい。これにより、煙感知器用試験器４の構造を簡略化できる。また、外観からカップリング２００の位置を視認できるようになるので、煙感知器３に対して容易に煙感知器用試験器４を取り付けることができる。
【産業上の利用可能性】
【００７４】
この発明に係る煙除去装置は、煙感知器内部に残留している煙を除去する煙除去装置に適用でき、煙の除去を迅速かつ確実に行うことができる煙除去装置に有用である。
【図面の簡単な説明】
【００７５】
【図１】試験装置全体の外観を示す斜視図である。
【図２】実施の形態１に係る煙除去装置２の外観を示す斜視図である。
【図３】図２に示した煙除去装置２の側面図である。
【図４】煙感知器用試験器の平面図である。
【図５】図４における領域Ａの拡大側断面図である。
【符号の説明】
【００７６】
１  試験装置
２  煙除去装置
３  煙感知器
４  煙感知器用試験器
１０  試験槽
１０ａ  開口部
１１  設置板
１１ａ  取付ベース
１２  煙供給装置
２０  吸出部
２１  吸着部
３０  筐体
３１  検煙部
３２  煙流入口
４１  カバー
４２  支持パイプ
４３  操作部本体
４３ａ  スイッチ
４３ｂ  ガス流路
４３ｃ  ボンベ取付部
４４  ガスボンベ
２００  カップリング
２０１  配管
２０２  吸出ポンプ
２０３  端面
２０４  側面
２０４ａ  煙吸出口
２０４ｂ  嵌合部
２１０  吸着パッド
２１１  真空配管
２１２  真空ポンプ
【図１】
0005087458.tif 000002
【図２】
0005087458.tif 000003
【図３】
0005087458.tif 000004
【図４】
0005087458.tif 000005
【図５】
0005087458.tif 000006